(57)【特許請求の範囲】
【請求項１】
揮散性を有する薬剤を収容する筒状の容器本体（１）と、該容器本体（１）の口筒部（２）に組み付けられた揮散部本体（１０）とを有して成る揮散容器であって、
前記揮散部本体（１０）は、前記容器本体（１）内に連通する揮散孔（１４）を頂壁（１３）に備えて前記口筒部（２）に装着されるキャップ部（１１）と、該キャップ部（１１）との間に連結形成された連結部（１８）において変位可能に構成されると共に前記揮散孔（１４）を隠して外部への露出を防止する傘部（１６）とを有して一体成形され、
前記キャップ部（１１）に形成された雌ネジ部（１２ａ）が、大口径の容器本体（１）の前記口筒部（２）に形成された雄ネジ部（６）及び小口径の容器本体（１）の前記口筒部（２）に、その雌ネジ部（１２ａ）よりも径方向外側に大きく突設されたネックリング（７）に係合可能であり、
前記傘部（１６）の開口縁端を前記キャップ部（１１）の頂壁（１３）よりも下方の位置に変位させて前記キャップ部（１１）が前記傘部（１６）の下の隠れる使用状態としたときに、前記傘部（１６）と前記頂壁（１３）とが対向する部分に前記揮散孔（１４）と共に前記薬剤を外部に揮散させる揮散通路（Ｓ）が形成されることを特徴とする揮散容器。
【請求項２】
連結部（１８）は、キャップ部（１１）の頂壁（１３）中心部と傘部（１６）の中心部との間に形成された短柱状の連結突起（１８Ａ）であり、傘部（１６）が前記連結突起（１８Ａ）の近傍に形成された折り返し部（１６ａ）を支点に反転する構成とした請求項１記載の揮散容器。
【請求項３】
連結部（１８）は、ヒンジ（１８Ｂ）であり、傘部（１６）が前記ヒンジ（１８Ｂ）に形成された折り返し部（１８ｂ）を支点に回動することで前記キャップ部（１１）が前記傘部（１６）の下の隠れる構成とした請求項１記載の揮散容器。
【請求項４】
傘部（１６）の中心部とキャップ部（１１）の頂壁（１３）中心部の一方に係止凹部（１９）を形成し、他方に係止凸部（２０）を形成し、前記係止凹部（１９）と前記係止凸部（２０）とが係合する請求項３記載の揮散容器。
【請求項５】
揮散性を有する薬剤を収容する筒状の容器本体（１）と、該容器本体（１）の口筒部（２）に組み付けられた揮散部本体（１０）とを有して成る揮散容器であって、
前記揮散部本体（１０）が、内周面に雌ネジ部（１２ａ）が形成された外円筒部（１２）と内円筒部（１７）とから成る二重円筒状のキャップ部（１１）と、前記外円筒部（１２）及び前記内円筒部（１７）の双方に周方向に所定の間隔を有して交互に配置された複数の揮散孔（１４）と、該揮散孔（１４）を隠して外部への露出を防止する傘部（１６）とを有して一体成形されており、
前記外円筒部（１２）に形成された雌ネジ部（１２ａ）が、大口径の容器本体（１）の前記口筒部（２）に形成された雄ネジ部（６）及び小口径の容器本体（１）の前記口筒部（２）に、その雌ネジ部（１２ａ）よりも径方向外側に大きく突設されたネックリング（７）に係合可能であることを特徴とする揮散容器。
【発明の詳細な説明】
【技術分野】
【０００１】
本発明は液状、固形状又はジェル状などからなる薬剤等を空気中に揮散する揮散容器に関する。
【背景技術】
【０００２】
以下の特許文献１には、内部に揮発性薬剤が収容された容器本体１の開放上端部に、容器本体１の内部に連通する複数の透孔７を有するカバー６が装着されて成る薬剤揮散容器が記載されている。揮発性薬剤は、カバー６の透孔７を通じて容器本体１の内部から外部に揮散されるようになっている。
【先行技術文献】
【特許文献】
【０００３】
【特許文献１】実公昭５７−３３１４号公報
【発明の概要】
【発明が解決しようとする課題】
【０００４】
しかし、上記特許文献１に記載の揮散容器は、カバー６に複数の透孔７が設けられる構成であるため、揮散容器を例えば浴室内や屋外において使用する場合において、シャワーや雨等の水がカバー６にかかると、水が透孔７を介して容器本体１内に侵入し、内部に収容されている薬剤が変質する虞があった。
【０００５】
あるいは水の影響によって揮散速度が低下し、薬効成分を効率良く空気中に揮散させることが困難になるという問題があった。
【０００６】
またこのような薬剤は、一般に詰め替えボトルに収容して販売されるが、容量の違いにより、詰め替えボトルの口径寸法が異なる場合があり、口径寸法に応じたカバー６を夫々用意する必要がある点で煩雑であった。また詰め替えボトルの場合には、口筒部に取り付ける揮散部本体（カバーに相当）が２パーツ以上で構成されていたことから部品点数の削減による製造コストの低廉化が難しいという問題もあった。
【０００７】
本発明は、上記した従来技術における問題点を解消すべく、一体構成とした揮散部本体によって水の浸入を防止し、薬効成分を効率良く空気中に揮散させることを可能とした揮散容器を創出することを課題とする。
【課題を解決するための手段】
【０００８】
上記課題を解決するための手段のうち、本発明の第１の主たる手段は、
揮散性を有する薬剤を収容する筒状の容器本体と、容器本体の口筒部に組み付けられる揮散部本体とを有して成る揮散容器であって、
揮散部本体は、容器本体内に連通する揮散孔を頂壁に備えて口筒部に装着されるキャップ部と、キャップ部との間に連結形成された連結部において変位可能に構成されると共に揮散孔を隠して外部への露出を防止する傘部とを有して一体成形され、
キャップ部に形成された雌ネジ部が、大口径の容器本体の口筒部に形成された雄ネジ部及び小口径の容器本体の口筒部（２）に、その雌ネジ部よりも径方向外側に大きく突設されたネックリングに係合可能であり、
傘部の開口縁端をキャップ部の頂壁よりも下方の位置に変位させてキャップ部が傘部の下の隠れる使用状態としたときに、傘部と頂壁とが対向する部分に揮散孔と共に薬剤を外部に揮散させる揮散通路が形成されることを特徴とする、と云うものである。
【０００９】
本発明の第１の主たる手段では、揮散孔を傘部の下に隠すことにより、揮散部からの水の浸入を防止し得る。
【００１１】
また本発明の第１の主たる手段では、口径寸法の異なる容器本体への揮散部本体の装着を達成し得る。
【００１３】
また、本発明の第１の主たる手段では、傘部とこの傘部の下に隠れる揮散孔が形成されたキャップ部とを有して構成される揮散部本体を一体成形に形成し得る。
【００１４】
また本発明の他の手段は、上記手段において、連結部は、キャップ部の頂壁中心部と傘部の中心部との間に形成された短柱状の連結突起であり、傘部が連結突起の近傍に形成された折り返し部を支点に反転する構成とした、と云うものである。
【００１５】
上記構成では、傘部とキャップ部とが連結突起を介して連結されているので、傘部を反転変位させるだけで、容易にキャップ部に形成された揮散孔を傘部の下に隠すことを達成し得る。
【００１６】
また本発明の他の手段は、本発明の第１の主たる手段において、連結部は、ヒンジであり、傘部がヒンジに形成された折り返し部を支点に回動することでキャップ部が傘部の下の隠れる構成とした、と云うものである。
【００１７】
上記構成では、傘部とキャップ部とがヒンジを介して連結されているので、傘部を回動変位させるだけで、容易にキャップ部に形成された揮散孔を傘部の下に隠すことを達成し得る。
【００１８】
また本発明の他の構手段は、上記手段において、傘部の中心部とキャップ部の頂壁中心部の一方に係止凹部を形成し、他方に係止凸部を形成し、係止凹部と係止凸部とが係合する、との構成を加えたものである。
【００１９】
上記構成では、傘部の中心部とキャップ部の中心部とが係合するため、キャップ部に形成されている揮散孔を傘部の下に完全に隠し、確実に露出されないようにすることを達成し得る。
【００２０】
また本発明の第２の主たる手段は、
揮散性を有する薬剤を収容する筒状の容器本体と、容器本体の口筒部に組み付けられた揮散部本体とを有して成る揮散容器であって、
揮散部本体が、内周面に雌ネジ部が形成された外円筒部と内円筒部とから成る二重円筒状のキャップ部と、外円筒部及び内円筒部の双方に周方向に所定の間隔を有して交互に配置された複数の揮散孔と、揮散孔を隠して外部への露出を防止する傘部とを有して一体成形されており、
外円筒部に形成された雌ネジ部が、大口径の容器本体の口筒部に形成された雄ネジ部及び小口径の容器本体の口筒部に、その雌ネジ部よりも径方向外側に大きく突設されたネックリングに係合可能であることを特徴とする、と云うものである。
【００２１】
本発明の第２の主たる手段では、キャップ部を二重円筒状に形成した揮散部本体においても、薬剤等を空気中に揮散する揮散孔を確保し得る。
【発明の効果】
【００２２】
本発明は、上記した構成となっているので、以下に示す効果を奏する。
本発明の主たる構成においては、傘部とこの傘部の下に隠れる揮散孔が形成されたキャップ部とを有して構成される揮散部本体を一体成形することにより、部品点数の削減による製造コストの低廉化を達成することができる。
【００２３】
また揮散孔を傘部の下に隠すことにより、揮散容器を例えば浴室や屋外において使用しても、傘部が水を遮って揮散孔からの水の侵入を防止することができ、これにより容器本体内に収容されている薬剤等の変質を防止できる。
【００２４】
また水の影響による揮散速度の低下を抑止し、薬効成分を効率良く空気中に揮散させることが可能となり、結果として薬剤等を十分に付与することが可能となる。
【図面の簡単な説明】
【００２５】
【図１】本発明の第１実施例の揮散容器に用いる揮散部本体（成形時）の半断面図である。
【図２】本発明の第１実施例において、揮散部本体を小口径の容器本体に装着した使用状態を示す揮散容器の半断面図である。
【図３】本発明の第１実施例において、揮散部本体を大口径の容器本体に装着した使用状態を示す揮散容器の半断面図である。
【図４】本発明の第２実施例の揮散容器に用いる揮散部本体（成形時）の平面図である。
【図５】図４の縦断面図である。
【図６】第２実施例の揮散容器に用いる揮散部本体を組み立てた状態を示す平面図である。
【図７】本発明の第２実施例において、揮散部本体を小口径の容器本体に装着した使用状態を示す揮散容器の半断面図である。
【図８】本発明の第２実施例において、揮散部本体を大口径の容器本体に装着した使用状態を示す揮散容器の半断面図である。
【図９】本発明の第３実施例において、揮散部本体を小口径の容器本体に装着した使用状態を示す揮散容器の半断面図である。
【図１０】本発明の第３実施例において、揮散部本体を大口径の容器本体に装着した使用状態を示す揮散容器の半断面図である。
【図１１】本発明の第３実施例の揮散容器に用いる揮散部本体の底面図である。
【図１２】図９及び図１０のＸＩＩ−ＸＩＩ線における矢視断面図である。
【発明を実施するための形態】
【００２６】
以下、本発明の実施の形態について図面を参照しつつ説明する。
まず第１実施例に示す揮散容器の構成について説明する。
図１は本発明の第１実施例の揮散容器に用いる揮散部本体（成形時）の半断面図、図２は揮散部本体を小口径の容器本体に装着した使用状態を示す揮散容器の半断面図、図３は揮散部本体を大口径の容器本体に装着した使用状態を示す揮散容器の半断面図である。
【００２７】
本発明の揮散容器は、例えば除菌、防虫、芳香又は消臭等を目的とし、液状、固形状又はジェル状などからなる薬剤等を屋内や屋外を問わず、空気中に揮散させるためのものである。揮散容器は薬剤等を収容する容器本体１と、薬剤等を容器本体１の外部に揮散させるための揮散部本体１０とを有して構成され、いずれも合成樹脂材料により形成されている。
【００２８】
本実施例に示す容器本体１は詰め替え容器として使用可能であり、口径寸法の異なる２種類、すなわち図２に示すような小口径からなる容器本体１Ａと、図３に示すような大口径からなる容器本体１Ｂが存在する。小口径の容器本体１Ａ及び大口径の容器本体１Ｂは、いずれも口筒部２と、この口筒部２から下方に向かって拡径状に形成された肩部３と、円筒状の胴部４と、底部５とを有する有底筒状のブロー成形等で成形された容器であり、口筒部２には雄ネジ部６が刻設され、口筒部２の下部位置で且つ雄ネジ部６と肩部３と間には円環状のネックリング７が突出形成されている。
【００２９】
図１に示すように、揮散部本体１０は、容器本体１の口筒部２に装着されるキャップ部１１と、成形時において上方に向かって拡径状に形成される傘部１６と、キャップ部１１と傘部１６とを連結する連結部１８とを有し、射出成形法により一体成形されたものである。
【００３０】
キャップ部１１は外円筒部１２と、この外円筒部１２の上部に一体に形成されたドーム状の頂壁１３を有して形成されている。外円筒部１２の内面には雌ネジ部１２ａが刻設されている。頂壁１３には内部に連通する複数の揮散孔１４が周方向に一定の間隔を有して穿設されている。また頂壁１３の下面には短円筒状からなるストッパ１５が形成されている。拡径状に形成された傘部１６は、薄い肉厚寸法で形成することによる可撓性が付与されている。なお、傘部１６の開口縁端の径寸法はキャップ部１１の外径寸法よりも大きな寸法で形成されており、後述するように反転させた場合には、傘部１６の下にキャップ部１１を完全に隠すことが可能となっている。連結部１８は、キャップ部１１の頂壁１３の中心部と傘部１６の中心部との間に形成された短柱状の連結突起１８Ａであり、傘部１６は連結突起１８Ａの上端において上下方向に変位可能とされている。より具体的には、連結突起１８Ａ上端の近傍で且つ傘部１６表面には円環溝状の折り返し部１６ａが形成されており、傘部１６はこの折り返し部１６ａを支点に反転可能とされている。
【００３１】
次に、揮散容器の組み付けについて説明する。
図２に示すように、小口径の容器本体１Ａの場合には、揮散部本体１０を小口径の容器本体１Ａの口筒部２に被せると、揮散部本体１０側のストッパ１５の下端が容器本体１Ａの口筒部２の上縁部に当接する。同時に、キャップ部１１の雌ネジ部１２ａのうち最下部に位置する突起１２ａ１が容器本体１側のネックリング７を乗り越えて係合する。これにより揮散部本体１０を小口径の容器本体１Ａに確実に装着させることが可能となっている。
【００３２】
そして、装着後に、折り返し部１６ａを支点に、可撓性を有する傘部１６を下方に反転させることにより傘部１６の下にキャップ部１１が完全に隠され、図２に実線で示すような使用状態とすることができる。この使用状態では、傘部１６とキャップ部１１の頂壁１３との間に揮散通路Ｓが確保されるため、容器本体１に収容されている薬剤等を揮散孔１４及び揮散通路Ｓを通じて外部に揮散することができる。
【００３３】
また、この使用状態では、キャップ部１１の全体が、傘部１６の下に配置されることになることから、揮散孔１４を隠して外部に直接露出されることを防止できる。よって、使用中にシャワーや雨等の水が揮散容器にかかったとしても、傘部１６が水を遮り、揮散孔１４からの水の浸入を防ぐことができる。このため、容器本体１に収容されている薬剤等の変質を防止することができる。あるいは水の影響による薬剤等の揮散速度の低下を防止し、薬効成分を空気中に効率良く充分に揮散させることが可能となる。
【００３４】
図３に示すように大口径の容器本体１Ｂの場合には、揮散部本体１０を大口径の容器本体１Ｂの口筒部２に被嵌せしめると共に、容器本体１側の雄ネジ部６とキャップ部１１側の雌ネジ部１２ａとを螺合させることにより、揮散部本体１０を大口径の容器本体１Ｂに装着することが可能である。そして、装着後に、折り返し部１６ａを支点に傘部１６を下方に反転させて使用状態とすることにより、上記同様の作用効果を得ることができる。
【００３５】
次に、第２実施例に示す揮散容器について説明する。
図４は本発明の第２実施例の揮散容器に用いる揮散部本体（成形時）の平面図、図５は図４の縦断面図、図６は揮散部本体を組み立てた状態を示す平面図、図７は揮散部本体を小口径の容器本体に装着した使用状態を示す揮散容器の半断面図、図８は揮散部本体を大口径の容器本体に装着した使用状態を示す揮散容器の半断面図である。
【００３６】
第２実施例に示す揮散容器が、上記第１実施例の揮散容器と異なる点は揮散部本体の構成にあり、その他の構成及び効果は上記第１実施例同様である。このため、以下の説明においては上記第１実施例と異なる点である揮散部本体を中心に説明する。なお、同一部材については同一符号を付して説明する。
【００３７】
図４及び図５に示すように、第２実施例の揮散容器に用いられる揮散部本体１０も上記第１実施例同様に、キャップ部１１、傘部１６及びこれらを連結する連結部１８を有して形成されるが、連結部１８がヒンジ１８Ｂで構成される点で異なる。
キャップ部１１は、外周縁側に傾斜部１３Ａが形成された平板状の頂壁１３及び傾斜部１３Ａの下端に設けられた外円筒部１２を有して構成されている。頂壁１３の中心部には係止凹部１９が形成されており、その周囲には長円状に穿設された複数（図４では８ヶ）の揮散孔１４が放射状に配置されている。なお、外円筒部１２の内面には雌ネジ部１２ａが刻設されている点は上記第１実施例同様である。また傘部１６の天面の中心部には係止凹部１９に係合する係止凸部２０が突出形成されている。この係止凸部２０の周囲には、係止凸部２０を補強する平面十字に配置された支持片２１が形成されている。
【００３８】
ヒンジ１８Ｂは、外円筒部１２と傾斜部１３Ａとの境界部分に突設された平板片で形成されており、このヒンジ１８Ｂには複数の小孔（図４では５ヶ）１８ａが穿設されている。そして、ヒンジ１８Ｂの先端に傘部１６が連設されており、傘部１６はこのヒンジ１８Ｂにおいて変位可能となっている。より具体的には、ヒンジ１８Ｂの下面で且つ傘部１６と連結する先端部分には肉薄部を直線状に形成して成る折り返し部１８ｂが形成されており、傘体１６はこの折り返し部１８ｂを支点に回動可能となっている。
【００３９】
第２実施例では、図５に実線で示す展開状態から二点鎖線で示す状態に回動させ、係止凸部２０と係止凹部１９とを係合させることにより、キャップ部１１が傘部１６によって覆い隠される揮散容器を組み立てることができる。揮散容器を組み立てた状態では、支持片２１が頂壁１３に当接するため、傘部１６とキャップ部１１の頂壁１３との間に揮散通路Ｓが確保される。
【００４０】
そして、図７及び図８に示すように、揮散部本体１０を小口径の容器本体１Ａ又は大口径の容器本体１Ｂに装着したいずれの使用状態においても、揮散容器の内外が、頂壁１３に形成された揮散孔１４及び揮散通路Ｓを介して連通するため、容器本体１内の薬剤等を空気中に揮散することが可能である。なお、ヒンジ１８Ｂ近傍の位置では、さらにヒンジ１８Ｂに形成されている複数の小孔１８ａを通じても外部に揮散することが可能となっている。
【００４１】
次に、第３実施例に示す揮散容器について説明する。
図９乃至図１２は本発明の第３実施例であり、図９は揮散部本体を小口径の容器本体に装着した使用状態を示す揮散容器の半断面図、図１０は揮散部本体を大口径の容器本体に装着した使用状態を示す揮散容器の半断面図、図１１は第３実施例の揮散容器に用いる揮散部本体の底面図、図１２は図９及び１０のＸＩＩ−ＸＩＩ線における矢視断面図である。
【００４２】
第３実施例に示す揮散容器が、上記第１及び第２実施例の揮散容器と異なる点も揮散部本体の構成にあり、その他の構成及び効果は上記第１及び第２実施例同様である。このため、以下の説明においては上記第１実施例及び第２実施例と異なる点である揮散部本体を中心に説明する。なお、同一部材については同一符号を付して説明する。
【００４３】
図９及び図１０に示すように、第３実施例に示す揮散部本体１０は、外円筒部１２と、この外円筒部１２の内側に設けられる内円筒部１７とから成る二重円筒状のキャップ部１１と、このキャップ部１１の上部を覆う傘部１６とを有し、キャップ部１１と傘部１６とを一体成形することにより形成されている。
【００４４】
図９、図１０及び図１２に示すように、外円筒部１２の上端（傘部１６真下の位置）には複数の切欠孔１４ａが周方向に一定の間隔を有して形成され、図９乃至図１２に示すように、内円筒部１７には高さ方向の全長に渡って開口する複数の間欠窓１４ｂが所定の幅寸法を有して周方向に交互に形成されている。これら複数の切欠孔１４ａと複数の間欠窓１４ｂとは共に揮散孔１４を構成する。
【００４５】
図９に示すように、揮散部本体１０を小口径の容器本体１Ａに装着した場合の使用状態では、揮散容器の内外が揮散孔１４、すなわち外円筒部１２に形成された切欠孔１４ａと内円筒部１７に形成された間欠窓１４ｂを介して連通し、これら切欠孔１４ａ及び間欠窓１４ｂ（揮散孔１４）を通じて容器本体１内の薬剤等を空気中に揮散することが可能である。
【００４６】
他方、図１０に示すように、揮散部本体１０を大口径の容器本体１Ｂに装着した場合の使用状態では、揮散容器の内外は揮散孔１４、すなわち外円筒部１２に形成された切欠孔１４ａのみを介して連通するため、この切欠孔１４ａ（揮散孔１４）を通じて容器本体１内の薬剤等を空気中に揮散することが可能である。
【００４７】
以上、実施例に沿って本発明の構成とその作用効果について説明したが、本発明の実施の形態は上記実施例に限定されるものではない。
【００４８】
例えば、上記第２実施例では、キャップ部１１の頂壁１３に係止凹部１９を形成し、傘部１６の天面に係止凸部２０が形成した構成を示して説明したが、本発明の実施の形態は上記実施例に限定されるものではなく、キャップ部１１の頂壁１３に係止凸部２０を形成し、傘部１６の天面に係止凹部１９を形成する構成とすることも可能である。
【産業上の利用可能性】
【００４９】
本発明は、浴室や屋外などに設置して使用される揮散容器の分野における用途展開をさらに広い領域で図ることができる。
【符号の説明】
【００５０】
１    ：  容器本体
１Ａ  ：  小口径の容器本体
１Ｂ  ：  大口径の容器本体
２    ：  口筒部
３    ：  肩部
４    ：  胴部
５    ：  底部
６    ：  雄ネジ部
７    ：  ネックリング
１０  ：  揮散部本体
１１  ：  キャップ部
１２  ：  外円筒部
１２ａ：  雌ネジ部
１２ａ１：  突起
１３  ：  頂壁
１３Ａ：  傾斜部
１４  ：  揮散孔
１４ａ：  切欠孔（揮散孔）
１４ｂ：  間欠窓（揮散孔）
１５  ：  ストッパ
１６  ：  傘部
１６ａ：  折り返し部
１７  ：  内円筒部
１８  ：  連結部
１８Ａ：  連結突起（連結部）
１８Ｂ：  ヒンジ（連結部）
１８ａ：  小孔
１８ｂ：  折り返し部
１９  ：  係止凹部
２０  ：  係止凸部
２１  ：  支持片
Ｓ    ：  揮散通路
【図１】
0006752504.tif 000002
【図２】
0006752504.tif 000003
【図３】
0006752504.tif 000004
【図４】
0006752504.tif 000005
【図５】
0006752504.tif 000006
【図６】
0006752504.tif 000007
【図７】
0006752504.tif 000008
【図８】
0006752504.tif 000009
【図９】
0006752504.tif 000010
【図１０】
0006752504.tif 000011
【図１１】
0006752504.tif 000012
【図１２】
0006752504.tif 000013